(57)【特許請求の範囲】
【請求項１】
矩形板が縦断面く字状に中央で折曲されており、両端近傍の上下端部が折曲した中央側に切欠いてあると共に、上下端部の均し部が凹凸形状に形成されており、前記折曲された各平面に取付用孔が設けられた本体と、
平板状の矩形板で上下端近傍の下方に前記本体との取付孔が設けられており、上方に走行車への連結用吊り下げ孔が設けられたベース板を備え、
前記本体の上下何れかの均し部を用いるべく、選択的に前記平面の取付用孔を前記ベース板の本体との取付孔に連結したことを特徴とする砂場の均し具。
【請求項２】
凹凸形状が波型形状であることを特徴とする請求項１に記載の砂場の均し具。
【請求項３】
凹凸形状が鋸刃形状であることを特徴とする請求項１に記載の砂場の均し具。
【発明の詳細な説明】
【技術分野】
【０００１】
本発明は、ゴルフ場のバンカー、公園、学校等の広場や砂場、海浜や河川敷、グラウンド等の広場、農場等において土砂面を移動しながら土砂面の均し作業等の清掃作業を行う均し具に関するものである
【背景技術】
【０００２】
ゴルフ場には、コースの途中にバンカー（砂場）が設けられているが、バンカーの砂には小石や木片、木の葉などの異物が混ざり合っていることがあり、バンカーにおけるこれらの異物は、ボールを打つ際の妨げとなるので、プレー前に除去しておくと共に、気持良くプレーをできるように砂上を均しておくことが望まれる。
また、公園や学校等の広場や砂場、海浜や河川敷、グラウンド等の広場、農場等においては、小石や木片、木の葉などの異物のほかに金属片、プラスチック片、ガラス片等の異物やゴミ等も散在していることが多く、適時にその清掃作業を実施し、砂上を均整にしておくことが望まれる。
【０００３】
ところで、従来からバンカー等の異物収集装置等としては、特開２０１４−１１８８１０号公報や、実用新案登録第３０９０５４０号公報で提案され、特開２００１−１０４５１３号公報では砂場の均し装置が提案されている。
さらに、この種の多機能作業機としては特開平１１−２２２０７１号公報があり、砂場の砂の清掃と消毒を行う装置としては実用新案登録第３０２３２２６号公報に開示されている。
【０００４】
そして、特開２０１４−１１８８１０号公報は、動力作業車に装備して作業をする土砂面を移動しながら小石その他の異物を収集する装置であって、土砂を篩い落として小石その他の異物を残留させる揺動篩体を備えて成り、前記揺動篩体は、移動方向の両側を起立壁で縁取りし、移動方向の先端縁に土砂を掬う刃体を有しており、前記刃体は前記揺動篩体の先端縁に嵌合しかつ緊定連結する構造で着脱自在とした構成が開示され、土砂を掬う刃体に換えて土砂面を均す均平体や異物やゴミを掻き寄せるレーキとすることも可能とし、横長四角形を上下方向に湾曲させた均平板が例示されている。
【０００５】
また、実用新案登録第３０９０５４０号公報は、両側面と背面を方形状に囲んだ枠体内に篩網を水平状に張設し、車輪によって移動可能な篩部と、この篩の前面において下向き傾斜状に設けたレーキとからなり、レーキを前面にして篩部を移動させ、レーキですくい上げた砂を篩網上に取り入れ、砂とゴミとを分離可能とした砂の清掃具が開示されている。
【０００６】
更に、特開２００１−１０４５１３号公報には、陸上競技用砂場の対向する２辺に沿って走行する本体と、該本体の走行方向に直交して設けられ砂場の砂を掘り起こす上下動自在の撹拌部と、該本体の走行方向に直交して設けられ掘り起こされた砂を一定の高さに均平化する上下動自在の均し部とから構成する陸上競技用砂場均し装置であり、後部均し部は上下動自在となっている板状のスクレーパで、前部均し部は回転ローラであることが開示されている。
【先行技術文献】
【特許文献】
【０００７】
【特許文献１】特開２０１４−１１８８１０号公報
【特許文献２】実用新案登録第３０９０５４０号公報
【特許文献３】特開２００１−１０４５１３号公報
【発明の概要】
【発明が解決しようとする課題】
【０００８】
上記のように従来の砂場を均す具は、特開２０１４−１１８８１０号公報では横長四角形を上下方向に湾曲させた均平板であり、また、実用新案登録第３０９０５４０号公報では下向き傾斜状に設けたレーキであり、更に特開２００１−１０４５１３号公報では板状のスクレーパである。
【０００９】
したがって、実際に砂上面部に当接し或いは薄く沈む面は横方向に一直線となっているのであり、特別の工夫をした形状とは言えない。
そこで、本発明は砂上の均し時の砂場への食い込みを良好にすると共に、使用寿命を長くし、交換も容易とした砂場の均し具を提供せんとするものである。
【課題を解決するための手段】
【００１０】
上記の目的を達成するため請求項１に係る砂場の均し具の発明は、矩形板が縦断面く字状に中央で折曲されており、両端近傍の上下端部が折曲した中央側に切欠いてあると共に、上下端部の均し部が凹凸形状に形成されており、前記折曲された各平面に取付用孔が設けられた本体と、平板状の矩形板で上下端近傍の下方に前記本体との取付孔が設けられており、上方に走行車への連結用吊り下げ孔が設けられたベース板を備え、前記本体の上下何れかの均し部を用いるべく、選択的に前記平面の取付用孔を前記ベース板の本体との取付孔に連結したことを特徴とするものである。
【００１１】
請求項２に係る砂場の均し具の発明は、請求項１の発明において、凹凸形状が波型形状であることを特徴とするものである。
【００１２】
請求項３に係る砂場の均し具の発明は、請求項１の発明において、凹凸形状が鋸刃形状であることを特徴とするものである。
【発明の効果】
【００１３】
本発明は、均し具の本体の上下端部の均し部の何れかの端部を利用して砂上を均すように走行車に吊り下げられるため、二枚分の均し具の本体として上下を交換して使用可能である効果を有する。
【００１４】
また、端部の均し部を凹凸形状としたため、砂へ食い込み易く、砂を良くほぐして整地できる効果があり、波型形状や鋸刃形状とすることで更なる、食い込み・ほぐし効果を発揮するものである。
【００１５】
また、縦断面が、く字状に上下中央で折曲して反対側面の取付孔を利用して走行車に取り付ければ、砂上に対して突き当たる板面は傾斜して取付けられ、食い込み・ほぐし作用を一層効果的に行うことができるものである。
【００１６】
さらに、両端近傍の上下端部が折曲した中央側に切欠いてあるため、均し部の砂上への食い込みを和らげて中央部に重量がかかるようになると共に、回転を容易にする効果を発揮するものである。
【００１７】
そして、平板状の矩形板で上下端近傍の一方に均し具の本体の取付孔を設け、他方に走行車への連結用吊り下げ孔を設けたベース板を利用して、均し具の本体を取付けることで、均し具全体の重量を確保し、均し具の本体のみの取り換えで済み、本体の軽量化が図られ、上下の取り換えや交換作業を容易にし、取り扱いを至便とする効果を発揮する。
【図面の簡単な説明】
【００１８】
【図１】本発明に係る均し具本体の一実施の形態を示す正面図である。
【図２】図１の左側面図である。
【図３】図１のＡ−Ａ線の断面図である。
【図４】図１のＢ−Ｂ線の断面図である。
【図５】他の均し具本体の実施の形態を示す部分正面図である。
【図６】本発明に係るベース板の一実施の形態を示す正面図である。
【図７】ベース板に均し具本体を取り付けた状態の側面図である。
【図８】使用状態を示す側面図である。
【発明を実施するための形態】
【００１９】
本発明の実施の形態を図面に基づいて説明する。
図１は本発明に係る均し具の本体１の一実施の形態を示す正面図であり、図２は同左側面図、図３は図１のＡ−Ａ線の断面図、図４は図１のＢ−Ｂ線の断面図である。
【００２０】
前記砂場の均し具の本体１は、矩形の板状体の上下端部の均し部が凹凸形状２に形成され、縦断面が「く字状」に中央で折曲３し、当該折曲３した各上下部の平面に取付用孔４、４、４、４を設けてある。
【００２１】
上記図面では、均し部の凹凸形状２が鋸刃形状で先端が尖っており、両端近傍では鋸刃の切り込みが徐々に浅くなって、上下の端部が折曲した中央側に切欠いてあるように成っている。
また、凹凸形状２は図５に例示するように、波型形状の先端が弧状や、四角形状を切欠いて先端が直線状であってもよい。
【００２２】
図６は、本発明に係るベース板５の一実施の形態を示す正面図であり、平板状の矩形板で上下端近傍の下方に均し具の本体１の取付孔６、６設けてある。
一方、上方に走行車８への連結用吊り下げ孔７、７を３個一組として設けてある。
３個一組とすることで、様々な走行車械に対応出来、また、孔が消耗により使えなくなっても他の孔で対応出来るようにする為である。
【００２３】
均し具の本体１とベース板５は、図７に示す様に均し具の本体１の上方位置とした平面に設けた取付用孔４、４とベース板５の取付孔６、６を重ね合わせて連結具１０で締着して一体化する。
均し具の本体１はベース板５の下部半分に上方位置の平面が重合して一体化し、本体１の下方位置の平面は、重合した本体１の上方位置の平面及びベース板５に対して、く字状に傾斜して下方へ突出した格好と成っている。
【００２４】
また、一体化した均し具は、ベース板５の連結用吊り下げ孔７、７を、走行車８の吊り下げ部材９に取付けて吊り下げて使用するものである（図８）。
この時、均し具の本体１のく字状に傾斜して下方へ突出した下端部の均し部の凹凸形状２が、砂中に食い込むように吊り下げ状態を調節するものである。
【００２５】
本発明は、均し具の本体１の上下の端部の何れかの均し部を利用して砂上を均すように走行車８へ取付けられるため、上下を交換して二枚分の均し具としての使用が可能であるから寿命を長くできる作用効果を有する。
【００２６】
また、均し部を凹凸形状２としたため、砂へ食い込み易く、砂を良くほぐして整地できる効果があり、波型形状や鋸刃形状等とすることで更なる、食い込み・ほぐし効果を発揮するものである。
【００２７】
また、縦断面が、く字状に上下中央で折曲３して上方位置の面の取付用孔４を利用してベース板５に取付け、ベース板５を走行車８に吊り下げれば、砂上に食い込む均し板の下方位置の面は傾斜して取付けられ、食い込み・ほぐし作用を一層効果的に行うことができるものである。
【００２８】
さらに、両端近傍の上下端部が折曲３した中央側に切欠いてあるため、均し部の砂上への食い込みを和らげて中央部に重量がかかるようになると共に、回転を容易にする作用を発揮するものである。
【００２９】
そして、平板状の矩形板で上下端近傍の一方に均し具の取付孔６を設け、他方に走行車８への連結用吊り下げ孔７を設けたベース板５を利用して、均し具の本体１を取付けることで、均し具全体の重量を確保し、均し具の本体１のみの取り換えで済み、本体１の軽量化が図られ、上下の取り換えや交換作業を容易にし、取り扱いを至便とする作用を奏する。
【００３０】
本均し具は金属や硬質樹脂で構成し、或いは木製であっても良く、鉄製で熱処理を加えれば耐久性に優れたものと成り、厚みを選択することで重量の加減も自在となる。
また、本発明を図面に基づいて説明した実施の形態における具体的構成は一例であり、同様の作用効果を得られる他の構成又は手段を排除するものではない。
【符号の説明】
【００３１】
１    本体
２    凹凸形状
３    折曲
４    取付用孔
５    ベース板
６    取付孔
７    連結用吊り下げ孔
８    走行車
９    吊り下げ部材
１０  連結具
【図１】
0006265144.tif 000002
【図２】
0006265144.tif 000003
【図３】
0006265144.tif 000004
【図４】
0006265144.tif 000005
【図５】
0006265144.tif 000006
【図６】
0006265144.tif 000007
【図７】
0006265144.tif 000008
【図８】
0006265144.tif 000009